(57)【特許請求の範囲】
【請求項１】
ベース機器と接続されると、該ベース機器から映像データおよび／または音声データを受信する無線端末であって、
ベース機器との接続を要求する接続要求コマンドをブロードキャストで送信する接続要求手段と、
上記接続要求コマンドに応答したベース機器から送信されると共に該ベース機器を特定する識別データのうち、最先に受信した識別データのみを取得し、取得した識別データに示されるベース機器との接続を確立する接続確立手段と、
上記識別データを取得すると、ベース機器に接続完了を認識させる接続処理完了コマンドをブロードキャストで送信する接続完了通知手段と、
上記識別データに基づき、現在接続が確立されているベース機器を利用者に通知する接続先通知手段と、
を含むことを特徴とする無線端末。
【請求項２】
上記識別データには、データの暗号化および該暗号化したデータの解読を行う識別鍵が含まれ、上記識別鍵は、ベース機器毎に固有のアルゴリズムであり、
取得した識別データに含まれる識別鍵によって、上記映像データおよび／または音声データを解読する手段を含むことを特徴とする無線端末。
【請求項３】
上記接続処理完了コマンドを受信することによって接続完了を認識したベース機器から上記無線端末へ送信される映像データおよび／または音声データは、当該ベース機器の識別鍵にて暗号化されていることを特徴とする請求項２に記載の無線端末。
【請求項４】
上記識別データには、データを暗号化する鍵および該暗号化したデータを解読する鍵が含まれることを特徴とする請求項１に記載の無線端末。
【請求項５】
上記データを暗号化する鍵および暗号化したデータを解読する鍵は、上記識別データに示されるベース機器に固有のアルゴリズムであることを特徴とする請求項４に記載の無線端末。
【請求項６】
上記無線端末は、接続先のベース機器から受信した映像データに基づいた画像を表示部に表示する画像出力手段を含み、
上記接続先通知手段は、上記識別データを上記表示部にＯＳＤで表示することを特徴とする請求項１ないし５のいずれか１項に記載の無線端末。
【請求項７】
請求項１に記載の無線端末から上記接続要求コマンドを受信すると、上記無線端末に対し上記識別データを送信する識別データ送信手段と、
上記接続処理完了コマンドを受信すると、接続完了を認識し、上記無線端末へ映像データおよび／または音声データを送信する手段と、
を含むベース機器。
【請求項８】
上記識別データには、データの暗号化および該暗号化したデータの解読を行う識別鍵が含まれ、上記識別鍵は、ベース機器毎に固有のアルゴリズムであり、
上記送信する手段は、上記識別鍵によって、上記映像データおよび／または音声データを暗号化して送信することを特徴とする請求項７に記載のベース機器。
【請求項９】
請求項１ないし６のいずれか１項に記載の無線端末と、請求項７または８に記載のベース機器とを含むワイヤレスシステム。
【請求項１０】
請求項１ないし６のいずれか１項に記載の無線端末を動作させる制御プログラムであって、コンピュータを上記無線端末の各手段として機能させるための無線端末の制御プログラム。
【請求項１１】
請求項１０に記載の無線端末の制御プログラムを記録したコンピュータ読み取り可能な記録媒体。
【請求項１２】
請求項７または８に記載のベース機器を動作させる制御プログラムであって、コンピュータを上記ベース機器の各手段として機能させるためのベース機器の制御プログラム。
【請求項１３】
請求項１２に記載のベース機器の制御プログラムを記録したコンピュータ読み取り可能な記録媒体。
【請求項１４】
ベース機器と、ベース機器と接続されると該ベース機器から映像および／または音声データを受信する無線端末と、から構成されるワイヤレスシステムであって、
上記無線端末は、
上記ベース機器との接続を要求する接続要求コマンドをブロードキャストで送信する接続要求手段と、
上記接続要求コマンドに応答したベース機器から送信されると共に該ベース機器を特定する識別データのうち、最先に受信した識別データのみを取得し、取得した識別データに示されるベース機器との接続を確立する接続確立手段と、
上記識別データを取得すると、ベース機器に接続完了を認識させる接続処理完了コマンドをブロードキャストで送信する接続完了通知手段と、
利用者からの指示の入力により、接続確認モードに移行する第一接続確認モード移行手段と、
接続確認モードの移行後、接続確認のための接続確認コマンドを接続先のベース機器から取得する接続確認手段と、
接続確認モードの移行後、上記接続確認手段が上記接続確認コマンドを所定時間内に取得しない場合、利用者に警告を行う警告手段と、を含み、
上記ベース機器は、
上記接続要求信号を受信すると、上記識別データを送信する識別データ送信手段と、
上記接続処理完了コマンドを受信すると、接続完了を認識し、上記無線端末へ映像データおよび／または音声データを送信する手段と、
利用者からの指示の入力により、接続確認モードに移行する第二接続確認モード移行手段と、
接続確認モードに移行すると、上記接続確認コマンドを送信する接続確認コマンド送信手段と、
を含むことを特徴とするワイヤレスシステム。
【請求項１５】
上記識別データには、データの暗号化および該暗号化したデータの解読を行う識別鍵が含まれ、上記識別鍵は、ベース機器毎に固有のアルゴリズムであり、
上記無線端末は、取得した識別データに含まれる識別鍵によって、上記映像データおよび／または音声データを解読する手段を含み、
上記ベース機器に含まれる上記送信する手段は、該ベース機器の識別データに含まれる識別鍵によって、上記映像データおよび／または音声データを暗号化して送信することを特徴とする請求項１４に記載のワイヤレスシステム。
【請求項１６】
上記識別データには、データを暗号化する鍵および該暗号化したデータを解読する鍵が含まれることを特徴とする請求項１４に記載のワイヤレスシステム。
【請求項１７】
上記データを暗号化する鍵および暗号化したデータを解読する鍵は、上記識別データに示されるベース機器に固有のアルゴリズムであることを特徴とする請求項１６に記載のワイヤレスシステム。
【請求項１８】
上記無線端末は、接続先のベース機器から受信した映像データに基づいた画像を表示部に表示する画像出力手段を含み、
上記警告手段は、上記表示部にＯＳＤで警告を示す表示を行うことを特徴とする請求項１４ないし１７のいずれか１項に記載のワイヤレスシステム。
【請求項１９】
上記無線端末は、上記第一接続確認モードの移行後、上記接続確認手段が上記接続確認コマンドを上記所定時間内に取得した場合、取得した識別データを上記表示部にＯＳＤ表示する手段を含むことを特徴とする請求項１８に記載のワイヤレスシステム。
【請求項２０】
請求項１４ないし１９のいずれか１項に記載のワイヤレスシステムを構成する無線端末。
【請求項２１】
請求項１４ないし１９のいずれか１項に記載のワイヤレスシステムを構成するベース機器。
【請求項２２】
請求項１４ないし１９のいずれか１項に記載のワイヤレスシステムを構成する無線端末を動作させるプログラムであって、コンピュータを上記無線端末の各手段として機能させるための無線端末の制御プログラム。
【請求項２３】
請求項２２に記載の無線端末の制御プログラムを記録したコンピュータ読み取り可能な記録媒体。
【請求項２４】
請求項１４ないし１９のいずれか１項に記載のワイヤレスシステムを構成するベース機器を動作させるプログラムであって、コンピュータを上記ベース機器の各手段として機能させるためのベース機器の制御プログラム。
【請求項２５】
請求項２４に記載のベース機器の制御プログラムを記録したコンピュータ読み取り可能な記録媒体。
【発明の詳細な説明】
【技術分野】
【０００１】
本発明は、無線端末、ベース機器、ワイヤレスシステム、無線端末の制御プログラム、ベース機器の制御プログラム、およびコンピュータ読み取り可能な記録媒体に関する。
【背景技術】
【０００２】
近年、インターネットの爆発的な普及に伴い、オフィス、家庭等で、ＬＡＮ（Local Area Network）を構築するケースが増えてきている。デジタル無線通信技術の進歩も手伝い、ケーブル配線の煩わしさから、無線でＬＡＮを構築する、いわゆるワイヤレスＬＡＮのニーズも非常に高まっており、さらに、ノート型パソコンに代表される移動端末での移動環境下における、使用が可能であることも手伝い、将来的には、かなりの数の普及台数が期待されている。このワイヤレスＬＡＮの代表的な技術としては、既に、ＩＥＥＥ（Institute of Electrical and Electronics Engineers）において、標準化されている、ＩＥＥＥ８０２．１１がある。この標準化された技術は、ＯＳＩモデルにおける、物理層から、データリンクの下位層であるＭＡＣ（Media Access Control：媒体アクセス制御）層までを規定しており、有線のＬＡＮ伝送路である、イーサーネット（登録商標）と置きかえることができ、さらに、ワイヤレスであるが故の付加機能として、ローミング（roaming）機能も提供できる仕様になっている。
【０００３】
また、現在、全国で視聴されているアナログ地上放送に代わる新しい地上デジタル放送の準備が進んでいる。この地上デジタル放送は、２００３年に関東、近畿、東海の３大都市圏で開始され、２００６年には全国へ拡大させる計画である。これにともない、現行のアナログ放送も２０１１年には廃止される予定である。
【０００４】
ＩＳＤＢ（Integrated Services Digital Broadcasting）は、映像、音声、データなどのあらゆる情報をデジタル・データとして扱う次世代の統合デジタル放送のコンセプトである。ＩＳＤＢの具体的なサービスとして、デジタル・テレビジョン放送、デジタル音声放送、ファクシミリ放送、マルチメディア放送などが研究されている。ＩＳＤＢの伝送路としては、衛星放送波、地上放送波、同軸ケーブルや光ファイバの有線伝送路の利用が考えられている。
【０００５】
この地上デジタル放送の技術規格ＩＳＤＢ−Ｔ（Terrestrial）では、変調方式に多数の搬送波（キャリア）を使うＯＦＤＭ（Orthogonal Frequency Division Multiplexing）が採用され、ビルによる反射など複数の伝播経路（マルチパス）によるゴースト妨害も抑制が可能となる。また、ＩＳＤＢ−Ｔではキャリア間隔を規定する伝送モードやキャリア毎の変調方式、有効シンボル長毎に設ける時間軸方向のガードインターバルがそれぞれ複数規定されており、極めて多数の信号形式が規格の上では許容されている。実際にはこれらの中から、固定受信や移動受信などのサービスに応じて最適な形式が選択されることになる。
【０００６】
また、ＩＳＤＢ−Ｔでは１つの伝送チャンネル（通信チャンネル）（帯域約５．６ＭＨｚ）を、１３セグメント（１セグメント＝約４３０ｋＨｚ）に分割し、これを単位に変調方式を変えることになる。これによって、１つの伝送チャンネルで音声放送とハイビジョン放送、標準固定放送と移動体放送といったように、放送局は任意に信号構成を決定することができる。
【０００７】
さらに、ＩＳＤＢ−Ｔは時間軸方向のインターリーブを取り入れており、利用する電波も移動体への伝送に適していることから、車載テレビなどの移動体受信機やＰＤＡ（Personal Digital Assistants）や携帯電話などの携帯端末でも安定した受信が可能となることが大きな特徴の一つとして挙げられる。今後、このような移動受信を想定したサービスも大いに期待されている。
【０００８】
ところで、上記のような技術を応用して構築されたワイヤレスＡＶシステムにおいては、無線通信を行う機器同士が互いを認識するための手段が必要となってくる。
【０００９】
例えば、図８に示すように、チューナ等を搭載したワイヤレスセンタ（送信機）１２２ａ〜１２２ｃと、ワイヤレスセンタ（送信機）１２２ａ〜１２２ｃのいずれかからコンテンツストリームを無線で受信して再生を行う受信機とから構成されるワイヤレスＡＶシステムにおいては、受信機側では、現在、ワイヤレスセンタ（送信機）１２２ａ〜１２２ｃのいずれとの通信ペアが確立しているのかを認識している必要がある。このような無線通信機器間での通信ペアの確立方法及び識別方法に関しては、様々な方法が提案されている。
【００１０】
例えば、以下に示す特許文献１に記載のデジタルコードレス電話装置では、親機と子機とに共通に設定されたシステム呼び出し符号を、親機又は子機から無線通信で他の親機又は子機に送信できるようにするとともに、当該他の親機又は子機は受信したこのシステム呼び出し符号をメモリに記憶することにより、複数の親機及び子機が同一の無線システムで作動するよう簡単に設定を行うことができるシステムが開示されている。
【００１１】
また、以下に示す特許文献２は、制御対象であるデバイスと、伝送路を介してそのデバイスを制御するコントローラとを備え、デバイスは、そのデバイス本体の状態を管理する機器状態管理手段と、デバイス本体の状態が変化した場合にデバイス本体の状態情報をコントローラに通知する後退通知手段とを有し、コントローラは、デバイスからの状態情報を受信する状態情報受信手段を有する機器制御システムを開示している。これにより、制御対象であるデバイスとそのデバイスを制御するコントローラとで構成される機器制御システムにおいて、前記デバイスの状態が変化した場合に、前記コントローラが即座に状態変化後の前記デバイスの状態を把握することができることを特徴としている。
【特許文献１】特開平７−４６６６２号公報（公開日：平成７年２月１４日）
【特許文献２】特開２００２−２１５４８３号公報（公開日：平成１４年８月２日）
【発明の開示】
【発明が解決しようとする課題】
【００１２】
しかしながら、図８に示したようなワイヤレスＡＶシステムは、一般家庭において複数のＡＶ機器間を無線接続して利用しようとするものであり、複数のＡＶ機器が比較的近距離に設置されるため、上記したような制御データのやり取りが混信してしまうおそれがある。
【００１３】
例えば、図８において、ユーザはワイヤレスセンタ１２２ａからのストリームを受信機１３３により受信して再生しようとして操作を行う場合、ワイヤレスセンタ１２２ａは自機の識別ＩＤを受信機１３３に送信し、受信機１３３がこの識別ＩＤを認識するという接続処理が行われ、これらの機器間での無線通信ペアが確立する。
【００１４】
ところが、このとき、付近にあるワイヤレスセンタ１２２ｂにおいても同様の接続処理が行われており、ワイヤレスセンタ１２２ｂが他の受信機に対して発行した自機の識別ＩＤを受信機１３３が誤って受信することが起こり得る。具体的に説明すると、受信機１３３は、ワイヤレスセンタ１２２ａからの識別ＩＤより、ワイヤレスセンタ１２２ｂからの識別ＩＤを先に受信して認識してしまった場合、ワイヤレスセンタ１２２ｂと接続を確立し、ワイヤレスセンタ１２２ａと接続しない。
【００１５】
この場合には、受信機１３３は誤って通信ペアとなったワイヤレスセンタ１２２ｂからのストリームを再生することになるが、受信機１３３自体の動作としては正常であるため、ユーザには誤った通信ペアが確立されていることは通知されないことになる。
【００１６】
本発明は、このような実情に鑑みてなされたものであり、利用者にとって誤った無線接続が確立された場合、これを利用者に通知できる無線端末、ベース機器、ワイヤレスシステム、無線端末の制御方法、ベース機器の制御方法、無線端末の制御プログラム、ベース機器の制御プログラム、およびコンピュータ読み取り可能な記録媒体を提供することを目的とする。
【課題を解決するための手段】
【００１７】
上記目的を達成するために、本発明の無線端末は、ベース機器と接続されると、該ベース機器から映像データおよび／または音声データを受信する無線端末であって、ベース機器との接続を要求する接続要求コマンドをブロードキャストで送信する接続要求手段と、上記接続要求コマンドに応答したベース機器から送信されると共に該ベース機器を特定する識別データのうち、最先に受信した識別データのみを取得し、取得した識別データに示されるベース機器との接続を確立する接続確立手段と、上記識別データを取得すると、ベース機器に接続完了を認識させる接続処理完了コマンドをブロードキャストで送信する接続完了通知手段と、上記識別データに基づき、現在接続が確立されているベース機器を利用者に通知する接続先通知手段と、を含むことを特徴とする。
【００１８】
本発明の無線端末は、上記構成に加えて、上記識別データには、データの暗号化および該暗号化したデータの解読を行う識別鍵が含まれ、上記識別鍵は、ベース機器毎に固有のアルゴリズムであり、取得した識別データに含まれる識別鍵によって、上記映像データおよび／または音声データを解読する手段を含む構成であってもよい。
【００１９】
本発明の無線端末は、上記構成に加えて、上記接続処理完了コマンドを受信することによって接続完了を認識したベース機器から上記無線端末へ送信される映像データおよび／または音声データは、当該ベース機器の識別鍵にて暗号化されている構成であってもよい。
【００２０】
本発明の無線端末は、上記構成に加えて、上記識別データには、データを暗号化する鍵および該暗号化したデータを解読する鍵が含まれていてもよい。
【００２１】
本発明の無線端末は、上記構成に加えて、上記データを暗号化する鍵および暗号化したデータを解読する鍵は、上記識別データに示されるベース機器に固有のアルゴリズムであってもよい。
【００２２】
本発明の無線端末は、上記構成に加えて、接続先のベース機器から受信した映像データに基づいた画像を表示部に表示する画像出力手段を含み、上記接続先通知手段は、上記識別データを上記表示部にＯＳＤで表示する構成であってもよい。
【００２３】
また、上記目的を達成するために、本発明のベース機器は、上記無線端末から上記接続要求コマンドを受信すると、上記無線端末に対し上記識別データを送信する識別データ送信手段と、上記接続処理完了コマンドを受信すると、接続完了を認識し、上記無線端末へ映像データおよび／または音声データを送信する手段と、を含む。
【００２４】
さらに、本発明のベース機器は、上記構成に加えて、上記識別データには、データの暗号化および該暗号化したデータの解読を行う識別鍵が含まれ、上記識別鍵は、ベース機器毎に固有のアルゴリズムであり、上記送信する手段は、上記識別鍵によって、上記映像データおよび／または音声データを暗号化して送信する構成であってもよい。
【００２５】
また、上記目的を達成するために、本発明のワイヤレスシステムは、上記無線端末と、上記ベース機器とを含む構成である。
【００２６】
上記目的を達成するために、本発明のワイヤレスシステムは、ベース機器と、ベース機器と接続されると該ベース機器から映像および／または音声データを受信する無線端末と、から構成されるワイヤレスシステムであって、上記無線端末は、上記ベース機器との接続を要求する接続要求コマンドをブロードキャストで送信する接続要求手段と、上記接続要求コマンドに応答したベース機器から送信されると共に該ベース機器を特定する識別データのうち、最先に受信した識別データのみを取得し、取得した識別データに示されるベース機器との接続を確立する接続確立手段と、上記識別データを取得すると、ベース機器に接続完了を認識させる接続処理完了コマンドをブロードキャストで送信する接続完了通知手段と、利用者からの指示の入力により、接続確認モードに移行する第一接続確認モード移行手段と、接続確認モードの移行後、接続確認のための接続確認コマンドを接続先のベース機器から取得する接続確認手段と、接続確認モードの移行後、上記接続確認手段が上記接続確認コマンドを所定時間内に取得しない場合、利用者に警告を行う警告手段と、を含み、上記ベース機器は、上記接続要求信号を受信すると、上記識別データを送信する識別データ送信手段と、上記接続処理完了コマンドを受信すると、接続完了を認識し、上記無線端末へ映像データおよび／または音声データを送信する手段と、利用者からの指示の入力により、接続確認モードに移行する第二接続確認モード移行手段と、接続確認モードに移行すると、上記接続確認コマンドを送信する接続確認コマンド送信手段と、を含むことを特徴とする。
【００２７】
また、本発明のワイヤレスシステムでは、上記構成に加えて、上記識別データには、データの暗号化および該暗号化したデータの解読を行う識別鍵が含まれ、上記識別鍵は、ベース機器毎に固有のアルゴリズムであり、上記無線端末は、取得した識別データに含まれる識別鍵によって、上記映像データおよび／または音声データを解読する手段を含み、上記ベース機器に含まれる上記送信する手段は、該ベース機器の識別データに含まれる識別鍵によって、上記映像データおよび／または音声データを暗号化して送信する構成であってもよい。
【００２８】
さらに、本発明のワイヤレスシステムでは、上記構成に加えて、上記識別データには、データを暗号化する鍵および該暗号化したデータを解読する鍵が含まれる構成であってもよい。
【００２９】
また、本発明のワイヤレスシステムでは、上記構成に加えて、上記データを暗号化する鍵および暗号化したデータを解読する鍵は、上記識別データに示されるベース機器に固有のアルゴリズムであってもよい。
【００３０】
さらに、本発明のワイヤレスシステムでは、上記構成に加えて、上記無線端末は、接続先のベース機器から受信した映像データに基づいた画像を表示部に表示する画像出力手段を含み、上記警告手段は、上記表示部にＯＳＤで警告を示す表示を行う構成であってもよい。
【００３１】
また、本発明のワイヤレスシステムでは、上記構成に加えて、上記無線端末は、上記第一接続確認モードの移行後、上記接続確認手段が上記接続確認コマンドを上記所定時間内に取得した場合、取得した識別データを上記表示部にＯＳＤ表示する手段を含む構成であってもよい。
【００３２】
さらに、本発明の無線端末は、上記したワイヤレスシステムを構成するものであり、本発明のベース機器は、上記したワイヤレスシステムを構成するものである。
【００３３】
なお、上記無線端末またはベース機器は、コンピュータによって実現してもよく、この場合には、コンピュータを上記各手段として動作させることにより、上記無線端末またはベース機器をコンピュータにて実現させる無線端末の制御プログラムを記録したコンピュータ読み取り可能な記録媒体も、本発明の範疇に入る。
【発明の効果】
【００３４】
以上のように、本発明の無線端末は、ベース機器を特定する識別データに基づき、現在接続が確立されているベース機器を利用者に通知する接続先通知手段と、を含む構成である。
【００３５】
それゆえ、利用者にとって、接続先のベース機器を特定できると共に、所望のベース機器と無線端末とが接続されているか否かを認識することができるという効果を奏する。
【００３６】
以上のように、本発明のワイヤレスシステムは、接続確認モードの移行後、上記接続確認手段が上記接続確認コマンドを所定時間内に取得しない場合、利用者に警告を行う警告手段を含む構成である。
【００３７】
それゆえ、警告された利用者が、接続確認モードに移行したベース機器と無線端末とが接続されていないことを確認することができるという効果を奏する。
【発明を実施するための最良の形態】
【００３８】
以下、添付図面を参照しながら本発明の一実施形態について詳細に説明する。
【００３９】
図１は、本実施形態のワイヤレスＡＶシステム（ワイヤレスシステム）１の構成を示すブロック図である。本実施の形態のワイヤレスＡＶシステム１として、ディスプレイ分離型のワイヤレスＴＶ受信機に適用した例である。また、図１１は、ディスプレイ分離型のワイヤレスＴＶ受信機であるワイヤレスＡＶシステム１の概略を示した説明図である。
【００４０】
図１および図１１に示すように、ワイヤレスＡＶシステム１は、ベース機器としてのワイヤレスセンタユニット（以下、ワイヤレスセンタという）２と、ポータブル端末（無線端末）としてのテレビジョン（ＴＶ）本体ユニット（以下、ＴＶ本体という）３とから構成され、ワイヤレスセンタ２（無線通信装置，センタ装置）とＴＶ本体３（無線通信装置，表示装置）とはペアとなって無線伝送ネットワークを構成する。
【００４１】
図１１に示すように、ＴＶ本体３は、バッテリ内蔵でワイヤレスである。また、リモートコントローラを備えて、ビデオデッキなどのリモコン操作ができるようになっている。また、ワイヤレスセンタ２は、ＢＳやＵ／Ｖ等のアンテナやＤＶＤプレーヤやビデオデッキ等のＡＶ機器等に接続されている。そして、ワイヤレスセンタ２からＴＶ本体３へ、映像及び／又は音声データがワイヤレス伝送されるようになっている。
【００４２】
図１に示すように、ワイヤレスセンタ２は、ＢＳ端子１１，Ｕ／ＶＨＦアンテナ端子１２，ダイバーシティ端子１３の各アンテナ端子と、デジタルＶＴＲ，ＤＶＤプレーヤなどの機器を接続するビデオ１入力端子（Ｓ端子付き）１４，ビデオ２入力端子（デコーダ入力）１５，ビデオ３入力端子（モニタ／ＢＳ出力兼用）１６、ＡＣ電源部１７及びＣａｒ−ＤＣ電源部１８を備える。
【００４３】
ＴＶ本体３は、デジタルＶＴＲ，ＤＶＤ（Digital Versatile Disc）プレーヤなどの機器を接続するビデオ４入力端子（ＴＶ出力兼用）２１、ＡＣ電源部２２及びＣａｒ−ＤＣ電源部２３を備える。
【００４４】
ＴＶ本体３は、ワイヤレスセンタ２と分離可能でバッテリ内蔵により携帯又は可搬できる薄型表示装置であり、例えば液晶テレビジョン（以下、液晶テレビという）、無機ＥＬ
（Electro Luminescence）／有機ＥＬディスプレイ、プラズマディスプレイなどの種々の表示装置を含む広い概念であり、表示機構により限定されるものではない。また、本明細書において、ＴＶ本体３は、主として表示機能や音響機能などを有し、一方、ワイヤレスセンタ２は、主としてチューナ部やＴＶ本体３を制御する制御機能などを収容する。本実施の形態によるＴＶ本体３は、薄型表示装置として液晶テレビを例にして説明する。
【００４５】
ワイヤレスセンタ２とＴＶ本体３間は、ＩＥＥＥ８０２．１１規格に準拠するＳＳ（Spread Spectrum：スペクトラム拡散）無線方式によりデータ（映像及び／又は音声データ）が送受信される。最近、周波数帯として５ＧＨｚ帯が開放され、２．４ＧＨｚ帯の代わりに５ＧＨｚ帯を用いる態様でもよい。ワイヤレスセンタ２からＴＶ本体３へのデータ伝送は、ＭＰＥＧ（Moving Picture Expert Group）２の映像圧縮フォーマットを用いて、動画像伝送やDVD-Video、デジタル放送を、１０Ｍｂｐｓを超える通信回線で伝送する。また、ワイヤレスセンタ２とＴＶ本体３間のコマンド伝送（制御コマンドの伝送）は、ＳＳ無線方式により行う。
【００４６】
ＭＰＥＧビデオやＭＰＥＧオーディオの符号化されたストリーム（ビット列）、さらに他の符号化ストリームも含めて実際のアプリケーションに適用する場合には、同期を含めて符号化ストリームを多重化して統合し１本化するとともに、そのストリームを蓄積メディアやネットワーク等が持つ、固有の物理フォーマットやプロトコルに適合したデータ形式にする必要がある。
【００４７】
ＭＰＥＧ２システムには、ＭＰＥＧ１と同様に１つのプログラムを構成するプログラム・ストリーム（ＭＰＥＧ２−ＰＳ，ＰＳ：Program Stream）と、複数のプログラムを構成できるトランスポート・ストリーム（ＭＰＥＧ２−ＴＳ，ＴＳ：Transport Stream）とがある。
【００４８】
ＭＰＥＧストリームは、１ビットのフラグも多数あるがヘッダなどの各単位ごとにバイト整列されたバイト・ストリームである。ＭＰＥＧシステム全体に共通した構造として固定長でないデータ部分には、長さを示す情報が先行して置かれ、不要な場合はその部分をスキップしたり、次のデータ群の先頭を確認して信頼性の高い分離処理ができるデータ構造となっている。
【００４９】
ＭＰＥＧ２符号化方式に準拠し、圧縮された映像、音声信号を受信する装置は、復号化側において映像、音声データのオーバーフロー、アンダーフローを防止するために、符号化側での映像、音声サンプリング周波数と、復号化側での映像、音声サンプリング周波数またはＳＴＣ（System Time Clock）を一致させる必要がある。
【００５０】
そのため、復号化装置ではＭＰＥＧ２システム規格（ＩＳＯ／ＩＥＣ規格１３８１８−１）で規定されたＰＣＲ（Program Clock Reference：プログラム時刻基準参照値）またはＳＣＲ（System Clock Reference：システム時刻基準参照値）を用いることにより、符号化側の映像、音声サンプリング周波数と復号化側の映像、音声サンプリング周波数を一致させている。
【００５１】
図２は、上記ワイヤレスＡＶシステム１のワイヤレスセンタ２の構成を示すブロック図である。
【００５２】
図２において、ワイヤレスセンタ２は、ＢＳ端子１１に接続され選局信号によりＢＳ放送を受信・選局するＢＳチューナ３１と、Ｕ／ＶＨＦアンテナ端子１２に接続され選局信号によりＵ／ＶＨＦ放送を受信・選局するＵ／ＶＨＦチューナ３２と、ＢＳチューナ３１又はＵ／ＶＨＦチューナ３２で受信・選局された映像・音声（ＡＶ）信号を復調する映像・音声復調部３３と、音声切換信号により受信した音声とＥＰＧ（Electrical Program Guide：電子番組ガイド）などの番組に関する情報とを切換える音声切換部３４と、ソース選択信号により受信した映像・音声情報、番組に関する情報、ビデオ１入力端子（外部入力１）１４、ビデオ２入力端子（デコーダ入力）（外部入力２）１５、ビデオ３入力端子（モニタ／ＢＳ出力）（外部入力３）１６からの外部入力情報を選択する第１のセレクタ３５と、ＴＶコマンド信号４４を送受信して第１のセレクタ３５により選択されたデータをＭＰＥＧ２の映像圧縮フォーマットに変換し、ＳＳ無線方式によりＴＶ本体３に送信するＳＳ送受信ユニット３６（通信手段）と、選局信号４１，音声切換信号４２，ソース選択信号４３等を送信するとともに、ＴＶコマンド信号４４を送受信して装置全体の制御を行うワイヤレスセンタマイクロコンピュータ（以下、ワイヤレスセンタマイコンという）３７と、ワイヤレスセンタマイコン３７の制御プログラム、通信制御データ、さらに伝送チャンネル変更プログラム等の種々のデータを記憶する電気的に書換可能な不揮発性メモリであるＥＥＰＲＯＭ（electrically erasable programmable ROM）３８と、ワイヤレスセンタ２の表面においてＬＥＤ（light emitting diode）発光素子などから構成され所定の発光動作を行うＬＥＤ発光部１００とを備えて構成される。
【００５３】
ワイヤレスセンタ２は、放送受信用チューナを複数（ここでは２台）備え、複数のＢＳチューナ３１，Ｕ／ＶＨＦチューナ３２のうち少なくとも１つは地上デジタル放送受信可能なチューナであってもよい。
【００５４】
ＳＳ送受信ユニット３６は、第１のセレクタ３５により選択されたデータをデジタル信号に変換するＡ／Ｄ変換部５１、データをＭＰＥＧ２の映像圧縮フォーマットに変換するＭＰＥＧ２エンコーダ５２、送信データをＳＳ無線方式により送信するＳＳ無線機及び無線制御部からなるＳＳ無線送受信エンジン５３、及びＳＳ送受信ユニット３６の各部を制御するとともに、電波状態を検出する第１のＳＳ−ＣＰＵ５４を備えて構成される。
【００５５】
ＳＳ無線送受信エンジン５３は、ＴＶ本体３のＳＳ送受信ユニット６１（図３で後述する）に、ＭＰＥＧ２ストリームやコマンド等を送信する送信機能と、ＳＳ送受信ユニット６１との間でコマンド等を送受信する送受信機能とを備える。
【００５６】
ＥＥＰＲＯＭ３８に書き込むプログラムを変えることによってワイヤレスセンタ２及びＴＶ本体３における各種の仕様を変更することができる。すなわち、最近ではシステム開発のデバッグごとにマスクＲＯＭを変更する時間損失を回避するため、プログラムＲＯＭを不揮発性メモリ、例えばＥＰＲＯＭ，ＥＥＰＲＯＭとし、プログラム開発・修正時間の大幅な短縮を図っている。また、プログラムをダウンロードしてＥＥＰＲＯＭのプログラム内容を書き換えるようにすれば機能のアップグレードや機能の変更を容易に行うことが可能になる。
【００５７】
図３は、上記ワイヤレスＡＶシステム１のＴＶ本体３の構成を示すブロック図である。
【００５８】
図３において、ＴＶ本体３は、ＴＶコマンド信号７１を送受信してワイヤレスセンタ２のＳＳ送受信ユニット３６から送信されたＭＰＥＧ２ストリームやコマンド伝送データを受信するとともに、受信したＭＰＥＧ２ストリームなどを元データにデコード（復元）するＳＳ送受信ユニット６１（通信手段）と、ＳＳ送受信ユニット６１により復元したデータとビデオ４入力端子（ＴＶ出力）２１を介して外部から入力されるＡＶ信号とを選択する第２のセレクタ６２と、映像信号を表示し音声信号を出力するＬＣＤ等からなる表示部６３（報知手段の一部）と、ＴＶコマンド信号７１を送受信するとともに、ソース選択信号７２、ＯＳＤ（オン・スクリーン・ディスプレイ）７３等を送信して装置全体の制御を行うＴＶマイコン６４（報知手段の一部）と、ＴＶマイコン６４の制御プログラム、通信制御データ、さらに伝送チャンネル変更プログラム等の種々のデータを記憶する電気的に書換可能な不揮発性メモリであるＥＥＰＲＯＭ６５と、図示しないリモートコントロール装置（以下、リモコン装置という）からの制御コマンドを受光するリモコン受光部６６と、バッテリ６７と、バッテリ６７の充放電を制御するバッテリチャージャマイコン６８とを備えて構成される。
【００５９】
ＳＳ送受信ユニット６１は、ＳＳ無線方式により送信されたデータを受信するＳＳ無線機及び無線制御部からなるＳＳ無線送受信エンジン８１、受信したＭＰＥＧ２ストリームをデコードするＭＰＥＧ２デコーダ８２、デコードされたデータをアナログ信号に変換するＤ／Ａ変換部８３、及びＳＳ送受信ユニット６１の各部を制御するとともに、電波状態を検出する第２のＳＳ−ＣＰＵ８４（通信状態検出手段）を備えて構成される。
【００６０】
ＳＳ無線送受信エンジン８１は、ワイヤレスセンタ２のＳＳ送受信ユニット３６からのＭＰＥＧ２ストリームやコマンド等を受信する受信機能と、ＳＳ送受信ユニット６１からコマンド等を送信する送信機能とを備える。
【００６１】
特に、第２のＳＳ−ＣＰＵ８４は、受信電波の電界強度、エラー率に基づく再送要求によりワイヤレスセンタ２とＴＶ本体３間の通信状態（電波の強弱、通信路の妨害）を検出する電波状態検出手段としての機能を備える。検出された電波状態を示す情報は、ＴＶコマンド信号７１としてＴＶマイコン６４に送られる。本実施の形態では、ＴＶ本体３の第２のＳＳ−ＣＰＵ８４が上記電波状態検出機能を備える構成を示したが、ワイヤレスセンタ２の第１のＳＳ−ＣＰＵ５４が同様の機能を備え、検出した電波状態を示す情報をワイヤレスセンタ２からＴＶ本体３にコマンド伝送する態様でもよい。あるいは、第１のＳＳ−ＣＰＵ５４及び第２のＳＳ−ＣＰＵ８４双方が電波状態検出機能を備える構成でもよい。さらに、上記電波状態検出機能をＴＶマイコン６４又はワイヤレスセンタマイコン３７が行う態様でもよい。
【００６２】
ＴＶマイコン６４は、装置全体の制御を行うとともに、検出された通信状態に基づいて、映像及び音声データが途絶えていること、伝送チャンネル変更中であること、接続中であること、通信圏外を含む受信感度情報の各メッセージを知らせる報知手段としての機能を有する。
【００６３】
また、ＴＶマイコン６４は、通信が途絶えた時間を計測し、該通信が途絶えてから所定の設定時間が経過するまでは伝送チャンネルを保持する伝送チャンネル変更制御を行う。伝送チャンネル変更制御の具体例については図４乃至図９により後述する。また、ＴＶマイコン６４は、内部にＯＳＤ発生機能部を有し、番組のチャンネル、時刻、音量などの情報をテレビ等の画面上に表示する。ＴＶ等の映像装置、テレビ会議システム等の電子機器では、番組のチャンネル、時刻、音量などの情報をテレビ画面上に表示することが一般的になっている。ＯＳＤのデータは画像ではなく、ビットマップと呼ばれる形式で保持されており、このビットマップからＹ，Ｃｂ，Ｃｒで表されるＹＵＶ形式の画素値に変換され、その変換された画素がテレビ放送などの原画像の上に重畳される。また、ビデオ４入力端子（ＴＶ出力）２１に図示しないＤＶＤ等の画像再生装置を接続すれば、表示画面上に再生画像に重畳してＯＳＤ表示が可能である。なお、テレビ放送などの原画像とＯＳＤ表示との画像重畳処理は、ＯＳＤ合成部６９（図４）が行う。
【００６４】
また、図示は省略するが、ＴＶ本体３は、スピーカ、キー入力部、カード型外部拡張記憶媒体を挿脱するためのスロット等を備え、カード型外部拡張記憶媒体を該スロットに装着してデータを直接読み取る構成としてもよい。カード型外部拡張記憶媒体は、例えば電源バックアップにより書き込まれた情報を保持するＳＲＡＭ（Static RAM）カードや電源バックアップが不要なフラッシュメモリ等からなるコンパクトフラッシュ（登録商標）（ＣＦ）、スマートメディア、メモリスティック、さらにはコンパクトフラッシュ（登録商標）と同程度の大きさ又はＰＣカードTypeIIに装着可能な超小型ハードディスクドライブ（ＨＤＤ）等である。
【００６５】
リモコン受光部６６は、ＩＲ（Infrared Rays：赤外線）を使用する光通信ポート部であり、ＴＶ本体３又はワイヤレスセンタ２に対して各種操作を行うリモコン装置からの光信号を受光する。具体的には、赤外線を利用してデータを伝送するための規格、ＩｒＤＡ（Infrared Data Association），ＡＳＫ等に準拠して光通信を行うためのＩ／Ｏポート、又は電波による無線通信ポートである。
【００６６】
バッテリ６７は、ＴＶ本体３各部に所定の電源を供給する。バッテリチャージャマイコン６８は、バッテリ６７が充電可能状態になったとき、例えばＴＶ本体３がワイヤレスセンタ２やその他のクレードル等に装着されたことを検知し、バッテリ６７の充電媒体に対し電力供給端子（いずれも図示略）を介して充放電の制御を行う。バッテリチャージャマイコン６８は、具体的にはバッテリパックの放電電流を積算し、バッテリパックの残存容量が所定値以下になったと判断したときに充電を開始するとともに、充電時にはバッテリパックへの充電電流を積算しバッテリパックが満充電状態になったと判断したときに充電を停止させる。充電されたバッテリ６７は、ＴＶ本体３が商用電源から切り離された場合に携帯ＴＶの主電源となり、本体各部に電力を供給する。
【００６７】
次に、上記のような構成を有する本実施形態のワイヤレスＡＶシステム１において、ワイヤレスセンタ２とＴＶ本体３とが通信ペアを確立する方法について詳しく説明する。
【００６８】
図４は、本実施形態のワイヤレスＡＶシステム１において、ワイヤレスセンタ２とＴＶ本体３とが正常に通信ペアを確立させる動作を示すフロー図である。
【００６９】
図４において、まず、ユーザからのリモコン操作などにより、ＴＶ本体３がワイヤレスセンタ２からのストリームを受信すべく、接続要求を送信する（Ｓ１）。接続要求の送信は、ＴＶ本体３のＴＶマイコン６４により生成したコマンドを、ＳＳ送受信ユニット６１から無線送信することにより行われる。尚、送信されるコマンドは、送信先であるワイヤレスセンタ２を識別する情報を含んでいるものとし、この識別情報は予めＴＶ本体のＥＥＰＲＯＭ６５などに記憶してあるものを用いることができる。
【００７０】
ＴＶ本体３からの接続要求を、ＳＳ送受信ユニット３６により受信したワイヤレスセンタ２のワイヤレスセンタマイコン３７は、ＥＥＰＲＯＭ３８などに記憶されている自機を示す識別ＩＤを含んだ識別ＩＤ発行コマンドを生成し、これをＳＳ送受信ユニット３６によりＴＶ本体３に送信する（Ｓ２）。
【００７１】
識別ＩＤ発行コマンドを受信したＴＶ本体３は、取得したワイヤレスセンタ２の識別ＩＤを通信ペアの相手先機器の識別ＩＤとしてＥＥＰＲＯＭ６５などに記憶するとともに（Ｓ３）、接続確認コマンドをワイヤレスセンタ２に送信する（Ｓ４）。
【００７２】
ＴＶ本体３からの接続確認コマンドを受信したワイヤレスセンタ２は、所定の伝送チャンネルにおいて所定のストリームを送信し（Ｓ５）、ＴＶ本体３ではこれを受信し再生することが可能となる。
【００７３】
続いて、図８に示したように、ワイヤレスセンタ１２２が複数台あるために、ＴＶ本体（受信機）１３３側において通信ペアの相手を誤認してしまった場合の動作について、図５〜図７を参照しながら説明する。尚、図５〜図７に示すワイヤレスセンタ２ａおよび２ｂは、それぞれ上記したワイヤレスセンタ２と同様の構成を有しているものとする。
【００７４】
図５においてその第１の態様を示す。ＴＶ本体３は、ワイヤレスセンタ２ａとの通信ペアを確立しようとすべく、ワイヤレスセンタ２ａに対して接続要求を送信する（Ｓ１１）。これを受信したワイヤレスセンタ２ａは、自機の識別ＩＤを含んだ識別ＩＤ発行コマンドをＴＶ本体３に送信する（Ｓ１２）。ここまでの動作は、図４に示した例と同様である。
【００７５】
ここで、別のワイヤレスセンタ２ｂが送信した識別ＩＤ発行コマンドをＴＶ本体３が受信してしまった場合には（Ｓ１３，Ｓ１４）、ＴＶ本体３は通信ペアの相手先機器としてワイヤレスセンタ２ｂの識別ＩＤを認識し記憶してしまうことになる。
【００７６】
その後、ＴＶ本体３は、現在の通信相手機器の識別情報を表示部６３にＯＳＤ表示する（Ｓ１５）。するとユーザは、接続したはずのないワイヤレスセンタ２ｂの識別情報が表示されるので、誤った通信ペアが確立してしまったことを知ることができる。
【００７７】
尚、本実施の形態において、ＯＳＤ表示される現在の通信相手機器の識別情報は、通信相手機器が発行した識別ＩＤ（識別データ）をそのまま表示する方法も考えられるが、より好ましくは、通信相手機器の機種名やユーザがその機器に対して予め設定してある名前を識別ＩＤとともに受信しておき、これらを表示させるようにする。
【００７８】
図６において第２の態様を示す。ＴＶ本体３は、ワイヤレスセンタ２ａとの通信ペアを確立しようとすべく、ワイヤレスセンタ２ａに対して接続要求を送信する（Ｓ２１）。これを受信したワイヤレスセンタ２ａは、自機の識別ＩＤを含んだ識別ＩＤ発行コマンドをＴＶ本体に送信する（Ｓ２２）。識別ＩＤ発行コマンドを受信したＴＶ本体３は、取得したワイヤレスセンタ２ａの識別ＩＤを通信ペアの相手先機器の識別ＩＤとして記憶するとともに（Ｓ２３）、接続確認コマンドをワイヤレスセンタに送信する（Ｓ２４）。ここまでの動作は、図４に示した例と同様である。
【００７９】
ここで、別のワイヤレスセンタ２ｂが送信した識別ＩＤ発行コマンドをＴＶ本体３が受信してしまった場合には（Ｓ２５）、ＴＶ本体３は通信ペアの相手先機器としてワイヤレスセンタ２ｂの識別ＩＤを認識し記憶してしまうことになる（Ｓ２６）。
【００８０】
しかしながら、本例では、ＴＶ本体３からの接続確認コマンドを受信しているワイヤレスセンタ２ａは、確立された通信ペアが維持されていることを確認するためのペア確認用信号を一定時間間隔で送信するようになっている（Ｓ２７）。ワイヤレスセンタ２ａが送信するペア確認用信号には、自機の識別ＩＤが含まれているものとする。
【００８１】
ワイヤレスセンタ２ａからのペア確認用信号を受信したＴＶ本体３は、そこに含まれる相手機器の識別ＩＤを取得し、これを現在の通信ペア相手として記憶している識別ＩＤと比較する（Ｓ２８）。本例では、別のワイヤレスセンタ２ｂから受信した識別ＩＤを記憶してしまっているので、ペア確認用信号の識別ＩＤと一致せず、誤った通信ペアが確立されていることが認識されることになる。
【００８２】
ＴＶ本体３は、表示部６３において、誤った通信ペアが確立されている旨の警告をＯＳＤ表示してユーザに通知する（Ｓ２９）。このとき、元来の接続先であるワイヤレスセンタ２ａの識別ＩＤ（あるいはその機種名又はユーザが設定した名前）と、誤って通信ペアとなってしまったワイヤレスセンタ２ｂの識別ＩＤ（あるいはその機種名又はユーザが設定した名前）とを、同時にＯＳＤ表示して、ユーザに再接続の操作を行うよう促すのが望ましい。
【００８３】
図７において第３の態様を示す。ＴＶ本体３は、ワイヤレスセンタ２ａとの通信ペアを確立しようとすべく、ワイヤレスセンタ２ａに対して接続要求を送信する（Ｓ３１）。これを受信したワイヤレスセンタ２ａは、自機の識別ＩＤを含んだ識別ＩＤ発行コマンドをＴＶ本体３に送信する（Ｓ３２）。ここまでの動作は、図４に示した例と同様である。
【００８４】
その後、ＴＶ本体３が他のワイヤレスセンタと誤って通信ペアを確立してしまったか、あるいは動作不良などの原因で、ワイヤレスセンタ２ａに接続確認コマンドを送信しなかった場合を考える。
【００８５】
ワイヤレスセンタ２ａは、ＴＶ本体３に識別ＩＤ発行コマンドを送信した後、一定時間を経過しても、ＴＶ本体３からの接続確認コマンドを受信しない場合には、ワイヤレスセンタ２ａの表面に設置されたＬＥＤ発光部１００を所定の方法で発光させることにより、ユーザに通信ペアが正常に確立していない旨の警告を行うことができる（Ｓ３３）。
【００８６】
尚、ワイヤレスセンタＡ側において警告を発する方法としてはＬＥＤ発光部１００によるもの以外にも様々な方法が考えられる。例えば、所定の方法で音声を発するように構成してもよい。
【００８７】
さらに、図９において、第４の態様を説明する。なお、図９における各処理は、ワイヤレスセンタ２ａおよび２ｂにおいてはワイヤレスセンタマイコン（識別データ送信手段）３７が実行し、ＴＶ本体３においてはＴＶマイコン６４（接続確立手段、接続先通知手段、接続要求手段、接続完了通知手段、画像出力手段）が実行するものとするが、ワイヤレスセンタ２ａおよび２ｂにおいては第１のＳＳ−ＣＰＵ５４が実行し、ＴＶ本体３においては第２のＳＳ−ＣＰＵ８４が実行するようにしても構わない。
【００８８】
また、以下では、利用者は、ワイヤレスセンタ２ａからＴＶ本体３へストリームデータを送信させるべく、ワイヤレスセンタ２ａとＴＶ本体３との無線接続を試みているが、ワイヤレスセンタ２ｂとＴＶ本体３とが無線接続されてしまうものとする。
【００８９】
まず、ＴＶ本体３とワイヤレスセンタ２ａとの無線接続を確立させるべく、ＴＶ本体３およびワイヤレスセンタ２ａを接続処理モードへ移行させる（Ｓ５０１，Ｓ５１１）。具体的には、利用者が、ＴＶ本体３およびワイヤレスセンタ２ａに備えられている接続処理モード移行スイッチ（不図示）を押すと、ＴＶ本体３およびワイヤレスセンタ２ａは接続処理モードへ移行する。また、この時、別の利用者の操作によって、ＴＶ本体３の近傍に位置するワイヤレスセンタ２ｂも偶然に接続モードに移行したものとする（Ｓ５２１）。
【００９０】
ここで、ＴＶ本体３、ワイヤレスセンタ２ａおよび２ｂは、接続処理モード（図９におけるＳ５１６以外の各ステップ）においてコマンドおよびデータを送受信するための共通キーを有している。具体的に、この共通キーは、ＴＶ本体３、ワイヤレスセンタ２ａ，２ｂ間において共通のアルゴリズムであって、接続モード中に送受信されるコマンドおよびデータの暗号化／解読を行うキーである。
【００９１】
具体的に説明すると、ＴＶ本体３は、接続処理モードに移行すると、ＥＥＰＲＯＭ６５に格納されている共通キーを読み出し、この共通キーによって、送受信するコマンドおよびデータの暗号化／解読を行う。また、ワイヤレスセンタ２ａおよび２ｂは、接続処理モードに移行すると、ＥＥＰＲＯＭ３８に格納されている共通キーを読み出し、この共通キーによって、送受信するコマンドおよびデータの暗号化／解読を行う。これにより、ＴＶ本体３、ワイヤレスセンタ２ａおよび２ｂは、各々が接続処理モードに移行していると、各々の間で送受信するコマンドおよびデータの解読を行うことができる。
【００９２】
ＴＶ本体３が接続処理モードへ移行すると、ＴＶ本体３は、ワイヤレスセンタ２に無線接続を要求するための接続要求コマンドをブロードキャストで送信する（Ｓ５１２）。
【００９３】
ここで、上記の接続要求コマンドはブロードキャストで送信されているため、ワイヤレスセンタ２ａのみならず、接続モードに移行しているワイヤレスセンタ２ｂも、この接続要求コマンドを受信して解読できることになる。
【００９４】
そして、ワイヤレスセンタ２ａは、上記の接続要求コマンドを受信すると、ワイヤレスセンタ２ａを特定するための識別データをＥＥＰＲＯＭ３８から読み出し、この識別データをブロードキャストで送信する（Ｓ５０２）。
【００９５】
また、ワイヤレスセンタ２ｂは、上記の接続要求コマンドを受信すると、ワイヤレスセンタ２ｂを特定するための識別データをＥＥＰＲＯＭ３８から読み出し、この識別データをブロードキャストで送信する（Ｓ５２２）。
【００９６】
なお、ワイヤレスセンタ２ａおよび２ｂが所持、送信する識別データには、各々のワイヤレスセンタを特定するためのＩＤ（identification data）のみならず、データ、コマンドを暗号化すると共に、暗号化したデータ、コマンド等を解読するための識別キー（鍵）が含まれている。また、この識別キーは、各々のワイヤレスセンタ２ａ，２ｂに固有のアルゴリズムである。
【００９７】
ここで、ＴＶ本体３は、ワイヤレスセンタ２ａ，２ｂが送信した識別データのうち、最先に受信した識別データのみを選択して取得し、取得した識別データをＥＥＰＲＯＭ６５に格納する（Ｓ５１３）。ここでは、ＴＶ本体３は、ワイヤレスセンタ２ｂからの識別データを取得するものとする。したがって、ワイヤレスセンタ２ａからの識別データを取得しない。
【００９８】
さらに、ＴＶ本体３は、無線接続の確立を示す接続処理完了コマンドをブロードキャストで送信する（Ｓ５１４）。ＴＶ本体３は、この接続処理完了コマンドを送信すると、接続処理モードを解除する（Ｓ５１５）。
【００９９】
そして、ワイヤレスセンタ２ａ，２ｂは、上記の接続処理完了コマンドを受信すると（Ｓ５１０，Ｓ５１１）、接続確立を認識して接続処理モードを解除する（Ｓ５０４，Ｓ５２４）。
【０１００】
ここで、接続処理モード解除後のＴＶ本体３は、上記の共通キーを用いず、Ｓ５１３で取得した識別データに含まれる識別キーを用いてデータ、コマンドの暗号化、解読を行うようになる。また、接続処理モード完了後、ワイヤレスセンタ２ｂは、上記の共通キーを用いず、自装置の識別データに含まれる識別キーを用いて暗号化したデータをブロードキャストで送信する。つまり、ＴＶ本体３は、Ｓ５１３で取得した識別データに示されるワイヤレスセンタ２ｂからのデータのみを解読することができる。
【０１０１】
つまり、ＴＶ本体３は、Ｓ５１３において、接続要求コマンドの送信後に最先に受信した識別データを取得し、取得した識別データに示されるワイヤレスセンタ２ｂと無線接続を確立することになる。
【０１０２】
また、ワイヤレスセンタ２ｂから送られてきた識別データに含まれている識別キーは、ワイヤレスセンタ２ｂに固有のアルゴリズムであるため、ワイヤレスセンタ２ｂとＴＶ本体３との間でユニークな無線接続が確立されることになる。そして、無線接続の確立後、ワイヤレスセンタ２ｂはストリームデータを送信し、ＴＶ本体３はこのストリームデータを受信して、映像および音声を出力する。
【０１０３】
一方、ワイヤレスセンタ２ａは、Ｓ５０２において上記接続要求コマンドに応答して識別データを送信すると共に、Ｓ５０３において上記接続処理完了コマンドを受信しているため、ＴＶ本体３との間で無線接続が確立されているものとして動作している。したがって、接続処理モード完了後、ワイヤレスセンタ２ａは、自装置の識別データに含まれる識別キーを用いて暗号化したストリームデータを送信する。しかし、ＴＶ本体３は、ワイヤレスセンタ２ａの識別データを取得していないため、このストリームデータを解読できない。つまり、ＴＶ本体３とワイヤレスセンタ２ａとは無線接続されていない。したがって、利用者はＴＶ本体３とワイヤレスセンタ２ａとの無線接続の確立を試みようとしたにも拘わらず、ＴＶ本体３とワイヤレスセンタ２ｂとの間で無線接続が確立されている。
【０１０４】
ここで、本実施の形態では、無線接続確立後、ＴＶ本体３は、現在無線接続先のワイヤレスセンタ２ｂの識別データを表示部６３にＯＳＤ表示させている（Ｓ５１６）。つまり、ＴＶ本体３は、Ｓ５１３で取得した識別データを表示部６３にＯＳＤ表示させる。これにより、利用者は、ＴＶ本体３の無線接続先がワイヤレスセンタ２ｂであることを認識できると共に、ワイヤレスセンタ２ａがＴＶ本体３に無線接続されていないことを認識することができる。
【０１０５】
つまり、利用者は、上記のＯＳＤ表示を視認することにより、ＴＶ本体３の無線接続先のワイヤレスセンタを特定できるため、意図しない無線接続が確立されている場合、これを直ぐに認識することができ、直ぐに接続処理をやり直すことができる。
【０１０６】
以上のように、図９に示す態様によれば、ＴＶ本体３は、ワイヤレスセンタ２から上記識別データを取得すると共に、取得した識別データに示されるワイヤレスセンタ２と接続を確立している。さらに、ＴＶ本体３は、この識別データに基づき、現在接続先のワイヤレスセンタ２を利用者に通知しているため、利用者は、接続先のワイヤレスセンタ２を特定できると共に、所望のワイヤレスセンタ２とＴＶ本体３とが接続されているか否かを認識することができる。
【０１０７】
つぎに、図１０において第５の態様を示す。なお、図１０における各処理は、ワイヤレスセンタ２ａおよび２ｂにおいてはワイヤレスセンタマイコン（識別データ送信手段、第二接続確認モード移行手段、接続確認コマンド送信手段）３７が実行し、ＴＶ本体３においてはＴＶマイコン（接続確立手段、第一接続確認モード移行手段、接続確認手段、警告手段、接続要求手段、接続完了通知手段、画像出力手段）６４が実行するものとするが、ワイヤレスセンタ２ａおよび２ｂにおいては第１のＳＳ−ＣＰＵ５４が実行し、ＴＶ本体３においては第２のＳＳ−ＣＰＵ８４が実行するようにしても構わない。
【０１０８】
なお、図１０においても、利用者は、ワイヤレスセンタ２ａとＴＶ本体３との無線接続の確立を試みようとしているが、ワイヤレスセンタ２ｂとＴＶ本体３とが無線接続されてしまうものとする。なお、図１０において、図９に示すステップと同一のステップについては同一のステップ番号を付すと共に、その説明を省略する。
【０１０９】
図１０において、ＴＶ本体３およびワイヤレスセンタ２ａ，２ｂが、接続処理モードを完了すると（Ｓ５０４，Ｓ５１５，Ｓ５２４）、ワイヤレスセンタ２ｂとＴＶ本体３とが無線接続され、ＴＶ本体３は、ワイヤレスセンタ２ｂから送信されるストリームデータを解読し、このストリームデータに基づいた映像および音声を再生する。一方、ワイヤレスセンタ２ａとＴＶ本体３とは無線接続されていないものの、ワイヤレスセンタ２ａは、ストリームデータの送信動作を行っている。
【０１１０】
ここで、利用者は、ＴＶ本体３およびワイヤレスセンタ２ａが無線接続されているか否かを確認する。具体的に、利用者がＴＶ本体３およびワイヤレスセンタ２ａに構成されている接続確認ボタン（不図示）を押すと、ＴＶ本体３およびワイヤレスセンタ２ａは接続確認モードに移行する（Ｓ６０５，Ｓ６１６）。
【０１１１】
接続確認モードに移行したワイヤレスセンタ２ａは、自装置の識別データを含んだ接続確認用コマンドを一定期間ごとにブロードキャストで送信する（Ｓ６０６）。これに対し、ＴＶ本体３は、ワイヤレスセンタ２ｂと無線接続されているため、ワイヤレスセンタ２ａからの接続確認用コマンドを取得することができない（Ｓ６１７においてＮＯ）。これは、無線接続の確立を認識しているワイヤレスセンタ２ａから送信されるコマンドおよびデータは、ワイヤレスセンタ２ａの識別キーで暗号化されているが、ワイヤレスセンタ２ｂとの無線接続が確立した後のＴＶ本体３は、受信するコマンドおよびデータをワイヤレスセンタ２ｂの識別データに含まれる識別キーでのみ解読しているからである。
【０１１２】
そして、ＴＶ本体３は、接続確認用コマンドを取得しないまま所定時間経過した場合（Ｓ６１８においてＹＥＳ）、表示部６３にＯＳＤで警告表示を行う（Ｓ６２０）。これにより、利用者は、ワイヤレスセンタ２ａとＴＶ本体３とが無線接続されていないことを認識することができ、直ぐに接続処理をやり直すことができる。
【０１１３】
つぎに、仮に、利用者が、ＴＶ本体３およびワイヤレスセンタ２ｂについて無線接続されているか否かを確認する場合について説明する。この場合、利用者がＴＶ本体３およびワイヤレスセンタ２ｂに構成されている接続確認ボタン（不図示）を押すと、ＴＶ本体３およびワイヤレスセンタ２ｂは接続確認モードに移行する（Ｓ６１６，Ｓ６２５）。
【０１１４】
接続確認モードに移行したワイヤレスセンタ２ｂは、自装置の識別データを含んだ接続確認用コマンドを一定期間ごとにブロードキャストで送信する（Ｓ６２６）。これに対し、ＴＶ本体３は、ワイヤレスセンタ２ｂと無線接続されているため、ワイヤレスセンタ２ｂからの接続確認用コマンドを取得することができる（Ｓ６１７においてＹＥＳ）。これは、無線接続の確立を認識しているワイヤレスセンタ２ｂから送信されるコマンドおよびデータは、ワイヤレスセンタ２ｂの識別キーで暗号化されていて、ワイヤレスセンタ２ｂとの無線接続が確立した後のＴＶ本体３は、受信するコマンドおよびデータをワイヤレスセンタ２ｂの識別データに含まれる識別キーで解読しているからである。
【０１１５】
そして、ＴＶ本体３は、接続確認用コマンドを取得すると、接続先の識別データを表示部６３にＯＳＤで表示する（Ｓ６１９）。これにより、利用者は、接続先がワイヤレスセンタ２ｂであることを確認することができる。
【０１１６】
以上のように、図１０に示す態様によれば、利用者の指示によってＴＶ本体３およびワイヤレスセンタ２を接続確認モードに移行させると、接続確認モードに移行したワイヤレスセンタ２は上記接続確認コマンドを送信することにしている。ここで、ＴＶ本体３は、接続確認モードに移行したワイヤレスセンタ２と接続されている場合、上記接続確認コマンドを取得できるが、接続モードに移行したワイヤレスセンタ２と接続されていない場合、上記接続確認コマンドを取得することができない。
【０１１７】
したがって、図１０に示すように、接続確認コマンドの移行後のＴＶ本体３が、接続確認モードに移行したワイヤレスセンタ２ａから上記接続確認コマンドを所定時間内に取得しない場合、利用者に警告を行うことにすると、警告された利用者は、接続確認モードに移行したワイヤレスセンタ２ａとＴＶ本体３とが接続されていないことを確認することができる。
【０１１８】
よって、利用者は、所望するワイヤレスセンタ２およびＴＶ本体３を接続確認モードに移行させれば、所望のワイヤレスセンタ２とＴＶ本体３とが接続されているか否かを容易に知ることが可能となる。
【０１１９】
以上、図９で示した態様によれば、Ｓ５１６において、上記識別データを表示部６３にＯＳＤで表示することにより、利用者に対して現在接続先のワイヤレスセンタ２を通知することにしているが、ＯＳＤによる表示に限られるものではない。例えば、識別データのみを表示部６３に表示してもよく、また、音声によって利用者に現在接続先のワイヤレスセンタを通知してもよい。
【０１２０】
また、図１０に示す態様によれば、Ｓ６２０において、表示部６３にＯＳＤで警告表示することにより、利用者に対して警告を行っているが，ＯＳＤによる警告表示に限られるものではない。つまり、警告である事を示す識別符を画像として表示したり、音声によって警告を示したり、警告ランプを点灯させる手段が考えられる。
【０１２１】
さらに、図９および図１０に示す態様によれば、上記識別データには、データ、コマンドを暗号化すると共に、暗号化したデータ、コマンド等を解読するための識別キーが含まれているが、特に含めなくても構わない。例えば、識別データと識別キーとを分離して送受信する構成であってもよい。
【０１２２】
また、上述した識別キーは、単一の識別キーでデータの暗号化および解読を実現できるようにしてもよいし、暗号化キーと解読キーとを別々に構成すると共に、この暗号化キーと解読キーとを含めたものを識別キーとしてもよい。
【０１２３】
また、図９および図１０において、ＴＶ本体３が、ワイヤレスセンタ２の識別データを取得し、取得した識別データに示されるワイヤレスセンタ２と接続する構成であれば、ＴＶ本体３とワイヤレスセンタ２との接続処理モード（Ｓ５０１〜５０４，Ｓ５１１〜Ｓ５１５，Ｓ５２１〜Ｓ５２４）の態様は変更可能であり、同図に示す態様に限定されるものではない。
【０１２４】
以上、本実施の形態のワイヤレスＡＶシステムにおける通信ペアの確立方法ついて、具体的な実施の形態を示して説明したが、本発明はこれらに限定されるものではない。当業者であれば、本発明の要旨を逸脱しない範囲内において、上記各実施形態又は他の実施形態にかかる発明の構成及び機能に様々な変更・改良を加えることが可能である。
【０１２５】
例えば、ワイヤレスＡＶ機器として携帯ＴＶとしているが、ＴＶ受信機に限らず無線信機能を持った又はその融合された装置に適用可能である。例えば、ＡＶ機器として、ＶＴＲ（Video Tape Recorder）のほか、ＨＤＤやＤＶＤに記録する記録再生装置でもよい。また、データ送受信のできる装置として、パソコンに代表される情報機器機能に融合された装置であってもよく、全てのシステムに適用可能である。また、送受信データの内容はどのようなものであってもよい。
【０１２６】
また、本実施の形態では、ＴＶ本体３としてＴＶ受信機で説明したが、これに限定されるものではなく、前述のように、チューナとパソコンや、チューナを使用する他のＡＶ機器にも応用できる。
【０１２７】
また、上記無線通信装置及びワイヤレスＡＶシステムを構成する各処理部等の種類、設定情報の種類・形式などは前述した実施形態に限られない。特に、ＨＡＶｉに準拠する機器に適用して好適である。
【０１２８】
また、チューナとして、ＢＳチューナとＵ／Ｖチューナの２つの放送を例に挙げているが、ＣＳチューナなど放送の種類や数はこれに限定されるものではない。
【０１２９】
また、本実施の形態では、無線通信装置及びワイヤレスＡＶシステムの名称を用いたが、これは説明の便宜上であり、無線通信機器、ＡＶ機器、放送局選局装置等であってもよい。
【０１３０】
以上説明した無線通信装置、ワイヤレスＡＶシステム、ＴＶ本体３、ワイヤレスセンタ２は、この無線通信装置、ワイヤレスＡＶシステム、ＴＶ本体３、ワイヤレスセンタ２を機能させるためのプログラムでも実現される。このプログラムはコンピュータで読み取り可能な記録媒体に格納されている。本発明では、この記録媒体として、メインメモリそのものがプログラムメディアであってもよいし、また外部記憶装置としてプログラム読み取り装置が設けられ、そこに記録媒体を挿入することで読み取り可能なプログラムメディアであってもよい。
【０１３１】
いずれの場合においても、格納されているプログラムはＣＰＵがアクセスして実行させる構成であってもよいし、あるいはいずれの場合もプログラムを読み出し、読み出されたプログラムは、図示されていないプログラム記憶エリアにダウンロードされて、そのプログラムが実行される方式であってもよい。このダウンロード用のプログラムは予め本体装置に格納されているものとする。
【０１３２】
ここで、上記プログラムメディアは、本体と分離可能に構成される記録媒体であり、磁気テープやカセットテープ等のテープ系、フロッピー（登録商標）ディスクやハードディスク等の磁気ディスクやＣＤ−ＲＯＭ／ＭＯ／ＭＤ／ＤＶＤ等の光ディスクのディスク系、ＩＣカード／光カード等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【０１３３】
さらに、図示されていないが、外部の通信ネットワークとの接続が可能な手段を備えている場合には、その通信接続手段を介して通信ネットワークからプログラムをダウンロードするように、流動的にプログラムを担持する媒体であってもよい。
【０１３４】
なお、このように通信ネットワークからプログラムをダウンロードする場合には、そのダウンロード用プログラムは予め本体装置に格納しておくか、あるいは別な記録媒体からインストールされるものであってもよい。なお、記録媒体に格納されている内容としてはプログラムに限定されず、データであってもよい。
【０１３５】
本発明のワイヤレスＡＶシステムは、１以上の送信側機器と、１以上の受信側機器とを含んでなるワイヤレスＡＶシステムであって、前記送信側機器は、前記受信側機器に対して自機の識別ＩＤを発行する手段を備えており、前記受信側機器は、前記送信側機器から受信した前記識別ＩＤを記憶する手段を備えていてもよい。
【０１３６】
また、上記のワイヤレスＡＶシステムにおいて、前記受信側機器は、さらに、前記送信側機器から識別ＩＤを受信すると、前記送信側機器に接続確認コマンドを送信する手段を備えていることを特徴としてもよい。
【０１３７】
さらに、上記のワイヤレスＡＶシステムにおいて、前記受信側機器は、さらに、前記送信側機器から受信した前記識別ＩＤを表示する手段を備えていてもよい。
【０１３８】
また、上記のワイヤレスＡＶシステムにおいて、前記送信側機器は、前記受信側機器に対して自機の識別ＩＤを発行するとともに、自機の機種名を送信する手段を備えており、前記受信側機器は、前記送信側機器から受信した前記機種名を表示する手段を備えていてもよい。
【０１３９】
さらに、上記のワイヤレスＡＶシステムにおいて、前記送信側機器は、前記受信側機器に対して、自機の識別ＩＤを発行するとともに、ユーザが設定した自機の名前を送信する手段を備えており、前記受信側機器は、前記送信側機器から受信した前記名前を表示する手段を備えていてもよい。
【０１４０】
また、上記のワイヤレスＡＶシステムにおいて、前記送信側機器は、前記受信側機器に対して自機の識別ＩＤを発行した後、さらに、一定の時間間隔ごとに自機の識別ＩＤを含んだペア確認用信号を前記受信側機器に送信する手段を備え、前記受信側機器は、前記送信側機器から受信したペア確認用信号に含まれる識別ＩＤと、前記記憶してある識別ＩＤとを比較する手段を備えていてもよい。
【０１４１】
さらに、上記のワイヤレスＡＶシステムにおいて、前記受信側機器は、前記送信側機器から受信したペア確認用信号に含まれる識別ＩＤと、前記記憶してある識別ＩＤとが一致しない場合には、その旨を表示することとしてもよい。
【０１４２】
また、上記のワイヤレスＡＶシステムにおいて、前記送信側機器は、前記受信側機器に対して自機の識別ＩＤを発行した後、一定期間内に前記受信側機器から前記接続確認コマンドを受信しない場合には、その旨を通知する通知手段を備えていてもよい。
【０１４３】
さらに、上記のワイヤレスＡＶシステムにおいて、前記送信側機器の前記通知手段は、所定の発光動作を行うＬＥＤ発光装置であってもよい。
【０１４４】
以上、説明したように、本発明によれば、ワイヤレスＡＶシステムにおいて通信ペアを確立し及び認識する方法であって、複数のＡＶ機器間でユーザが意図しない通信ペアが誤って確立されてしまった場合には、ユーザに通知を行うことができるようなシステムが提供される。
【０１４５】
上記目的を達成するために、本発明の無線端末は、ベース機器と接続を確立する無線端末であって、ベース機器から、該ベース機器を特定する識別データを取得することにより、このベース機器との接続を確立する接続確立手段と、上記識別データに基づき、現在接続が確立されているベース機器を利用者に通知する接続先通知手段と、を含むことを特徴とする。
【０１４６】
上記構成によれば、無線端末は、ベース機器から上記識別データを取得すると共に、このベース機器と接続を確立している。さらに、無線端末は、この識別データに基づき、現在接続先のベース機器を利用者に通知しているため、利用者は、接続先のベース機器を特定できると共に、所望のベース機器と無線端末とが接続されているか否かを認識することができる。
【０１４７】
本発明の無線端末は、上記構成に加えて、ベース機器との接続を要求する接続要求コマンドを送信する接続要求手段を含み、上記接続確立手段は、上記接続要求コマンドに応答したベース機器から送信される識別データのうち、最先に受信した識別データのみを取得し、取得した識別データに示されるベース機器との接続を確立することを特徴とする。
【０１４８】
上記構成によれば、無線端末が、ベース機器に対して上記接続要求コマンドを送信する。ここで、無線端末から送信される接続要求コマンドに複数のベース機器が応答し、複数のベース機器が自装置の識別データを送信する場合がある。この場合、無線端末は、上記接続要求コマンドに応答したベース機器から送信される識別データのうち、最先に受信した識別データのみを取得し、取得した識別データに示されるベース機器との接続を確立することになるため、利用者が所望するベース機器が無線端末に接続されていると限らない。
【０１４９】
ここで、上記無線端末は、上記識別データに基づき、現在接続先のベース機器を利用者に通知している。したがって、複数のベース機器が無線端末からの接続要求に応答した場合であっても、利用者は、所望のベース機器と無線端末とが接続されているか否かを認識することができる。
【０１５０】
本発明の無線端末は、上記構成に加えて、上記識別データの取得後、ベース機器との接続の確立を示す接続処理完了コマンドを送信する接続完了通知手段を含むことを特徴とする。
【０１５１】
上記構成によれば、複数のベース機器が、無線端末からの接続要求コマンドに応答すると共に接続処理完了コマンドを取得することにより、無線端末との接続を認識してしまう場合もあり得る。この場合であっても、最先に識別データを無線端末に送信したベース機器のみが無線端末と接続されているだけである。したがって、その他のベース機器は、接続されていないが、接続されているものと認識してしまい、接続後の動作を行ってしまうという事態が生じる。
【０１５２】
ここで、上記構成によれば、複数のベース機器が接続を認識してしまって接続後の動作を行っていても、利用者は、上記接続先通知手段によって真に接続されているベース機器を特定できるため、所望のベース機器と無線端末との接続が確立しているかを認識することができる。
【０１５３】
本発明の無線端末は、上記構成に加えて、上記識別データには、データを暗号化する鍵および該暗号化したデータを解読する鍵が含まれることを特徴とする。
【０１５４】
上記構成によれば、上記識別データには、データを暗号化する鍵および該暗号化したデータを解読する鍵が含まれている。したがって、ベース機器から識別データを取得した無線端末は、このベース機器が上記識別データに基づいて暗号化したデータを送信しても、このデータを解読できる。したがって、ベース機器からこの識別データを取得した無線端末は、この識別データに示されるベース機器との間で接続を確立できる。
【０１５５】
なお、上記のデータを暗号化する鍵および該暗号化したデータを解読する鍵は、同一の鍵であってもよい。つまり、同一の鍵で暗号化と解読とを実現してもよい。また、暗号化する鍵と解読する鍵とを別々で構成してもよい。
【０１５６】
本発明の無線端末は、上記構成に加えて、上記データを暗号化する鍵および暗号化したデータを解読する鍵は、上記識別データに示されるベース機器に固有のアルゴリズムであることを特徴とする。
【０１５７】
上記構成によれば、上記データを暗号化する鍵および暗号化したデータを解読する鍵は、上記識別データに示されるベース機器に固有のアルゴリズムであるため、この識別データを取得した無線端末は、この識別データで示されるベース機器との間において、ユニークな接続状態を確立することができる。
【０１５８】
本発明の無線端末は、上記構成に加えて、接続先のベース機器から受信した映像データに基づいた画像を表示部に表示する画像出力手段を含み、上記接続先通知手段は、上記識別データを上記表示部にＯＳＤで表示することを特徴とする。
【０１５９】
上記構成によれば、無線端末は、接続先のベース機器から受信した映像データに基づいた画像を表示部に表示すると共に、この表示部にＯＳＤで接続先のベース機器の識別データを表示している。したがって、利用者は、表示部に表示されている画像を鑑賞しながら、接続先のベース機器を確認することができる。
【０１６０】
上記目的を達成するために、本発明のベース機器は、上記無線端末に対して、上記識別データを送信する識別データ送信手段を含むことを特徴とする。
【０１６１】
これにより、無線端末から接続先のベース機器が利用者に通知されるため、所望のベース機器と無線端末とが接続されているか否かを認識することができる。
【０１６２】
上記目的を達成するために、本発明のワイヤレスシステムは、上記無線端末と、上記無線端末に対して、上記識別データを送信する識別データ送信手段を含むベース機器と、から構成される。
【０１６３】
これにより、無線端末から接続先のベース機器が利用者に通知されるため、所望のベース機器と無線端末とが接続されているか否かを認識することができる。
【０１６４】
上記目的を達成するために、本発明のワイヤレスシステムは、ベース機器と無線端末とから構成されるワイヤレスシステムであって、上記無線端末は、上記ベース機器から、該ベース機器を特定する識別データを取得することにより、このベース機器との接続を確立する接続確立手段と、利用者からの指示の入力により、接続確認モードに移行する第一接続確認モード移行手段と、接続確認モードの移行後、接続確認のための接続確認コマンドを接続先のベース機器から取得する接続確認手段と、接続確認モードの移行後、上記接続確認手段が上記接続確認コマンドを所定時間内に取得しない場合、利用者に警告を行う警告手段と、を含み、上記ベース機器は、該ベース機器を特定する識別データを送信する識別データ送信手段と、利用者からの指示の入力により、接続確認モードに移行する第二接続確認モード移行手段と、接続確認モードに移行すると、上記接続確認コマンドを送信する接続確認コマンド送信手段と、を含むことを特徴とする。
【０１６５】
上記構成によれば、無線端末は、ベース機器から送信される上記識別データを取得すると、このベース機器と接続を確立できるが、無線端末が何らかの要因でこの識別データを取得しなかった場合、無線端末とベース機器との接続は確立されない。
【０１６６】
そこで、上記構成によれば、利用者の指示によって無線端末およびベース機器を接続確認モードに移行させると、接続確認モードに移行したベース機器は上記接続確認コマンドを送信することにしている。ここで、無線端末は、この接続確認モードに移行したベース機器と接続されている場合、上記接続確認コマンドを取得できるが、この接続確認モードに移行したベース機器と接続されていない場合、上記接続確認コマンドを取得することができない。
【０１６７】
したがって、接続確認モードの移行後の無線端末が、接続確認モードに移行したベース機器から上記接続確認コマンドを所定時間内に取得しない場合、利用者に警告を行うことにすると、警告された利用者は、接続確認モードに移行したベース機器と無線端末とが接続されていないことを確認することができる。
【０１６８】
よって、利用者は、所望するベース機器および無線端末を接続確認モードに移行させれば、所望のベース機器と無線端末とが接続されているか否かを容易に知ることが可能となる。
【０１６９】
本発明のワイヤレスシステムは、上記構成に加えて、上記無線端末は、ベース機器との接続を要求する接続要求コマンドを送信する接続要求手段を含み、上記ベース機器は、上記接続要求信号を受信すると、上記識別データを送信する識別データ送信手段を含み、上記接続確立手段は、上記接続要求コマンドに応答したベース機器から送信される識別データのうち、最先に受信した識別データのみを取得し、取得した識別データに示されるベース機器との接続を確立することを特徴とする。
【０１７０】
上記構成によれば、無線端末が、ベース機器に対して上記接続要求コマンドを送信し、ベース機器が、この接続要求コマンドを受信すると、上記識別データを送信している。ここで、無線端末から送信される接続要求コマンドに複数のベース機器が応答し、複数のベース機器が自装置の識別データを送信する場合がある。この場合、無線端末は、上記接続要求コマンドに応答したベース機器から送信される識別データのうち、最先に受信した識別データのみを取得し、取得した識別データに示されるベース機器との接続を確立することになるため、利用者が所望するベース機器が無線端末に接続されていると限らない。
【０１７１】
ここで、上記構成によれば、複数のベース機器が無線端末からの接続要求に応答した場合であっても、所望するベース機器および無線端末を接続確認モードに移行させれば、所望のベース機器と無線端末とが接続されているか否かを容易に知ることができる。
【０１７２】
本発明のワイヤレスシステムは、上記構成に加えて、上記無線端末は、上記識別データの取得後、ベース機器との接続の確立を示す接続処理完了コマンドを送信する接続完了通知手段を含み、上記ベース機器は、上記接続完了コマンドを受信すると、無線端末との接続を認識する接続認識手段を含むことを特徴とする。
【０１７３】
上記構成によれば、複数のベース機器が、無線端末からの接続要求コマンドに応答すると共に接続処理完了コマンドを取得することにより、無線端末との接続を認識してしまう場合がある。この場合であっても、最先に識別データを無線端末に送信したベース機器のみが無線端末と接続されているだけである。したがって、その他のベース機器は、接続されていないが、接続されているものと認識してしまい、接続後の動作を行ってしまうという事態が生じる。
【０１７４】
ここで、上記構成によれば、複数のベース機器が接続を認識してしまって接続後の動作を行っていても、利用者は、所望するベース機器および無線端末を接続確認モードに移行させれば、所望のベース機器と無線端末とが接続されているか否かを容易に知ることができる。
【０１７５】
本発明のワイヤレスシステムは、上記構成に加えて、上記識別データには、データを暗号化する鍵および該暗号化したデータを解読する鍵が含まれることを特徴とする。
【０１７６】
上記構成によれば、上記識別データには、データを暗号化する鍵および該暗号化したデータを解読する鍵が含まれている。したがって、ベース機器から識別データを取得した無線端末は、このベース機器が上記識別データに基づいて暗号化したデータを送信しても、このデータを解読できる。したがって、ベース機器からこの識別データを取得した無線端末は、この識別データに示されるベース機器との間で接続を確立できる。
【０１７７】
本発明のワイヤレスシステムは、上記構成に加えて、上記データを暗号化する鍵および暗号化したデータを解読する鍵は、上記識別データに示されるベース機器に固有のアルゴリズムであることを特徴とする。
【０１７８】
上記構成によれば、上記データを暗号化する鍵および暗号化したデータを解読する鍵は、上記識別データに示されるベース機器に固有のアルゴリズムであるため、この識別データを取得した無線端末は、この識別データで示されるベース機器との間において、ユニークな接続状態を確立することができる。
【０１７９】
本発明のワイヤレスシステムは、上記構成に加えて、接続先のベース機器から受信した映像データに基づいた画像を表示部に表示する画像出力手段を含み、上記警告手段は、上記表示部にＯＳＤで警告を示す表示を行うことを特徴とする。
【０１８０】
上記構成によれば、無線端末は、接続先のベース機器から受信した映像データに基づいた画像を表示部に表示すると共に、この表示部にＯＳＤで警告を示す表示を行っている。したがって、利用者は、表示部に表示されている画像を鑑賞しながら、所望のベース機器と無線端末とが接続されているか否かを容易に知ることが可能となる。
【０１８１】
また、本発明の無線端末は、上記ワイヤレスシステムを構成するものであり、上述したワイヤレスシステムと同様の効果を奏することができる。さらに、本発明のベース機器は、上記ワイヤレスシステムを構成するものであり、上述したワイヤレスシステムと同様の効果を奏することができる。
【０１８２】
本発明は上述した各実施形態に限定されるものではなく、請求項に示した範囲で種々の変更が可能であり、上述した実施形態において開示された各技術的手段を適宜組み合わせて得られる実施形態についても本発明の技術的範囲に含まれる。
【産業上の利用可能性】
【０１８３】
本発明のワイヤレスシステムは、映像及び／又は音声データを無線伝送する、例えばディスプレイ分離型のワイヤレスＴＶ受信機のような家庭内ＡＶネットワークシステムに好適であるが、これに限定されず、携帯電話機／ＰＨＳ（登録商標）（Personal Handy-Phone System）や携帯情報端末（ＰＤＡ（Personal Digital Assistants））などの無線通信機器に広く適用可能である。
【図面の簡単な説明】
【０１８４】
【図１】本発明の一実施形態にかかるワイヤレスＡＶシステムの構成を示すブロック図である。
【図２】図１に示したワイヤレスＡＶシステムのワイヤレスセンタの構成を示すブロック図である。
【図３】図１に示したワイヤレスＡＶシステムのＴＶ本体の構成を示すブロック図である。
【図４】図１に示したワイヤレスＡＶシステムにおけるワイヤレスセンタとＴＶ本体とが正常に通信ペアを確立させる動作を示すフローチャートである。
【図５】ＴＶ本体近辺に、ワイヤレスセンタが複数台あるために、ＴＶ本体（受信機）側において通信ペアの相手を誤認してしまった場合の動作について、第１の態様を示すフローチャートである。
【図６】ＴＶ本体近辺に、ワイヤレスセンタが複数台あるために、ＴＶ本体（受信機）側において通信ペアの相手を誤認してしまった場合の動作について、第２の態様を示すフローチャートである。
【図７】ＴＶ本体近辺に、ワイヤレスセンタが複数台あるために、ＴＶ本体（受信機）側において通信ペアの相手を誤認してしまった場合の動作について、第３の態様を示すフローチャートである。
【図８】複数台のワイヤレスセンタ（送信機）と、１台の受信機とを含んでなるワイヤレスＡＶシステムの構成例を示す図である。
【図９】ワイヤレスセンタとＴＶ本体との接続処理の第４の態様であって、利用者が意図しないワイヤレスセンタとＴＶ本体との接続が確立される場合を示すフローチャートである。
【図１０】ワイヤレスセンタとＴＶ本体との接続処理の第５の態様であって、利用者が意図しないワイヤレスセンタとＴＶ本体との接続が確立される場合を示すフローチャートである。
【図１１】図１に示したワイヤレスＡＶシステムの概略を示した説明図である。
【符号の説明】
【０１８５】
１  ワイヤレスＡＶシステム（ワイヤレスシステム）
２  ワイヤレスセンタユニット（ワイヤレスセンタ，ベース機器）
３  テレビジョン本体ユニット（ＴＶ本体，無線端末）
１１  ＢＳ端子
１２  Ｕ／ＶＨＦアンテナ端子
１３  ダイバーシティ端子
１４  Ｓ端子付きビデオ１入力端子
１５  ビデオ２入力端子（デコーダ入力）
１６  ビデオ３入力端子（モニタ／ＢＳ出力兼用）
１７  ＡＣ電源部
１８  Ｃａｒ−ＤＣ電源部
２１  ビデオ４入力端子（ＴＶ出力兼用）
２２  ＡＣ電源部
２３  Ｃａｒ−ＤＣ電源部
３１  ＢＳチューナ
３２  Ｕ／ＶＨＦチューナ
３３  映像・音声復調部
３４  音声切換部
３５  第１のセレクタ
３６  ＳＳ送受信ユニット
３７  ワイヤレスセンタマイクロコンピュータ（ワイヤレスセンタマイコン，識別データ送信手段、第二接続確認モード移行手段、接続確認コマンド送信手段）
３８，６５  ＥＥＰＲＯＭ
５１  Ａ／Ｄ変換部
５２  ＭＰＥＧ２エンコーダ
５３  ＳＳ無線送受信エンジン
５４  第１のＳＳ−ＣＰＵ
６１  ＳＳ送受信ユニット
６２  第２のセレクタ
６３  表示部
６４  ＴＶマイコン（接続確立手段、接続先通知手段、接続要求手段、接続完了通知手段、画像出力手段、第一接続確認モード移行手段、接続確認手段、警告手段）
６６  リモコン受光部
６７  バッテリ
６８  バッテリチャージャマイコン
６９  ＯＳＤ合成部
８１  ＳＳ無線送受信エンジン
８２  ＭＰＥＧ２デコーダ
８３  Ｄ／Ａ変換部
８４  第２のＳＳ−ＣＰＵ
１００  ＬＥＤ発光部
【図１】
0003667744.tif 000002
【図２】
0003667744.tif 000003
【図３】
0003667744.tif 000004
【図４】
0003667744.tif 000005
【図５】
0003667744.tif 000006
【図６】
0003667744.tif 000007
【図７】
0003667744.tif 000008
【図８】
0003667744.tif 000009
【図９】
0003667744.tif 000010
【図１０】
0003667744.tif 000011
【図１１】
0003667744.tif 000012